(57)【要約】【課題】量子もつれ光子対を増幅させるための系を閉じることなく、量子もつれ光子対を増幅させることができる量子もつれ光子対増幅装置及び量子もつれ光子対増幅方法を提供すること。【解決手段】量子もつれ光子対増幅装置１０は、光源１１と、入射された光を２つの光へ分離する偏光ビームスプリッター１４と、入射された光から、一対の量子もつれ光子対を生成するＰＰＫＴＰ１８と、光が入射された位置とは異なる位置から反射光を出力するように、入射された光を反射するリトロリフレクター２２と、光の間の位相差を制御する半波長板２０と、を備える。【選択図】図１
2020148911.tif 000002
【特許請求の範囲】
【請求項１】
光源と、
入射された光を２つの光へ分離する光分離手段と、
入射された光から、一対の量子もつれ光子対を生成する光子対生成手段と、
光が入射された位置とは異なる位置から反射光を出力するように、入射された光を反射する光反射手段と、
光の間の位相差を制御する位相制御手段と、
を備え、
前記光分離手段は、前記光源から出力された光を、第１の光と第２の光とへ分離し、
前記光子対生成手段は、第１の光から第１の量子もつれ光子対を生成し、第２の光から第２の量子もつれ光子対を生成し、
前記位相制御手段は、第１の光と第１の量子もつれ光子対との間の位相差を制御し、第２の光と第２の量子もつれ光子対との間の位相差を制御し、
前記光反射手段は、第１の光と第１の量子もつれ光子対及び第２の光と第２の量子もつれ光子対を、前記光子対生成手段へ向けて反射させ、
前記光子対生成手段は、前記光反射手段によって反射された第１の光から、第１の量子もつれ光子対と位相が異なる新たな量子もつれ光子対を生成し、前記光反射手段によって反射された第２の光から、第２の量子もつれ光子対と位相が異なる新たな量子もつれ光子対を生成する、
量子もつれ光子対増幅装置。
【請求項２】
前記光反射手段は、複数の光反射手段を含み、
複数の前記光反射手段の各々は、前記光子対生成手段を挟んで互いに対向する位置に配置され、
前記光源から出力された光が複数の前記光反射手段によって反射され、前記光が前記光子対生成手段を通過する毎に新たな量子もつれ光子対が生成される、
請求項１に記載の量子もつれ光子対増幅装置。
【請求項３】
前記光反射手段は、リトロリフレクター、プリズム、又は一対のミラーである、
請求項１又は請求項２に記載の量子もつれ光子対増幅装置。
【請求項４】
前記光子対生成手段の光が入射される一辺の大きさは、前記光反射手段に入射される光の位置と前記光反射手段から出力される反射光の位置との間の距離よりも大きい、
請求項１〜請求項３の何れか１項に記載の量子もつれ光子対増幅装置。
【請求項５】
光源と、
入射された光を２つの光へ分離する光分離手段と、
入射された光から、一対の量子もつれ光子対を生成する光子対生成手段と、
光が入射された位置とは異なる位置から反射光を出力するように、入射された光を反射する光反射手段と、
光の間の位相差を制御する位相制御手段と、
を備えた量子もつれ光子対増幅装置における量子もつれ光子対増幅方法であって、
前記光分離手段が、前記光源から出力された光を、第１の光と第２の光とへ分離し、
前記光子対生成手段が、第１の光から第１の量子もつれ光子対を生成し、第２の光から第２の量子もつれ光子対を生成し、
前記位相制御手段が、第１の光と第１の量子もつれ光子対との間の位相差を制御し、第２の光と第２の量子もつれ光子対との間の位相差を制御し、
前記光反射手段が、第１の光と第１の量子もつれ光子対及び第２の光と第２の量子もつれ光子対を、前記光子対生成手段へ向けて反射させ、
前記光子対生成手段が、前記光反射手段によって反射された第１の光から、第１の量子もつれ光子対と位相が異なる新たな量子もつれ光子対を生成し、前記光反射手段によって反射された第２の光から、第２の量子もつれ光子対と位相が異なる新たな量子もつれ光子対を生成する、
量子もつれ光子対増幅方法。
【発明の詳細な説明】
【技術分野】
【０００１】
本発明は、量子もつれ光子対増幅装置及び量子もつれ光子対増幅方法に関する。
【背景技術】
【０００２】
従来、量子もつれを生成する方法が知られている。例えば、誘導放出によって、量子もつれ光子を増幅させる技術が知られている（例えば、非特許文献１を参照）。
【先行技術文献】
【非特許文献】
【０００３】
【非特許文献１】A. Lamas-Linares, J. C. Howell and D. Bouwmeester, "Stimulated emission of polarization-entangled photons.", Nature412, 887-890 (2001)
【発明の概要】
【発明が解決しようとする課題】
【０００４】
上記非特許文献１に記載されている技術は、メタホウ酸バリウム結晶へポンプ光を２回通すことにより、もつれた光子対を４倍まで増幅させることができる。
【０００５】
しかし、上記非特許文献１に記載の技術は、量子もつれ光子対を増幅させるための系が閉じているため、量子もつれ光子対の更なる増幅は困難である。
【０００６】
本発明は、上記の事実を考慮してなされたもので、量子もつれ光子対を増幅させるための系を閉じることなく、量子もつれ光子対を増幅させることができる光子対増幅装置及び光子対増幅方法を提供することを目的とする。
【課題を解決するための手段】
【０００７】
上記目的を達成するために、本発明に係る量子もつれ光子対増幅装置は、光源と、入射された光を２つの光へ分離する光分離手段と、入射された光から、一対の量子もつれ光子対を生成する光子対生成手段と、光が入射された位置とは異なる位置から反射光を出力するように、入射された光を反射する光反射手段と、光の間の位相差を制御する位相制御手段と、を備え、前記光分離手段は、前記光源から出力された光を、第１の光と第２の光とへ分離し、前記光子対生成手段は、第１の光から第１の量子もつれ光子対を生成し、第２の光から第２の量子もつれ光子対を生成し、前記位相制御手段は、第１の光と第１の光子対との間の位相差を制御し、第２の光と第２の量子もつれ光子対との間の位相差を制御し、前記光反射手段は、第１の光と第１の量子もつれ光子対及び第２の光と第２の量子もつれ光子対を、前記光子対生成手段へ向けて反射させ、前記光子対生成手段は、前記光反射手段によって反射された第１の光から、第１の量子もつれ光子対と位相が異なる新たな量子もつれ光子対を生成し、前記光反射手段によって反射された第２の光から、第２の量子もつれ光子対と位相が異なる新たな量子もつれ光子対を生成する、量子もつれ光子対増幅装置である。
【０００８】
本発明に係る量子もつれ光子対増幅装置の前記光反射手段は、複数の光反射手段を含み、複数の前記光反射手段の各々は、前記光子対生成手段を挟んで互いに対向する位置に配置され、前記光源から出力された光が複数の前記光反射手段によって反射され、前記光が前記光子対生成手段を通過する毎に新たな量子もつれ光子対が生成されるようにすることができる。
【０００９】
本発明に係る量子もつれ光子対増幅装置の前記光反射手段は、リトロリフレクター、プリズム、又は一対のミラーであるようにすることができる。
【００１０】
本発明に係る量子もつれ光子対増幅装置の前記光子対生成手段の光が入射される一辺の大きさは、前記光反射手段に入射される光の位置と前記光反射手段から出力される反射光の位置との間の距離よりも大きようにすることができる。
【００１１】
本発明に係る量子もつれ光子対増幅方法は、光源と、入射された光を２つの光へ分離する光分離手段と、入射された光から、一対の量子もつれ光子対を生成する光子対生成手段と、光が入射された位置とは異なる位置から反射光を出力するように、入射された光を反射する光反射手段と、光の間の位相差を制御する位相制御手段と、を備えた量子もつれ光子対増幅装置における量子もつれ光子対増幅方法であって、前記光分離手段が、前記光源から出力された光を、第１の光と第２の光とへ分離し、前記光子対生成手段が、第１の光から第１の量子もつれ光子対を生成し、第２の光から第２の量子もつれ光子対を生成し、前記位相制御手段が、第１の光と第１の量子もつれ光子対との間の位相差を制御し、第２の光と第２の量子もつれ光子対との間の位相差を制御し、前記光反射手段が、第１の光と第１の量子もつれ光子対及び第２の光と第２の量子もつれ光子対を、前記光子対生成手段へ向けて反射させ、前記光子対生成手段が、前記光反射手段によって反射された第１の光から、第１の量子もつれ光子対と位相が異なる新たな量子もつれ光子対を生成し、前記光反射手段によって反射された第２の光から、第２の量子もつれ光子対と位相が異なる新たな量子もつれ光子対を生成する、量子もつれ光子対増幅方法である。
【発明の効果】
【００１２】
本発明によれば、量子もつれ光子対を増幅させるための系を閉じることなく、量子もつれ光子対を増幅させることができる量子もつれ光子対増幅装置及び量子もつれ光子対増幅方法を提供することができる、という効果を奏する。
【図面の簡単な説明】
【００１３】
【図１】第１実施形態に係る量子もつれ光子対増幅装置の構成の一例を示すブロック図である。
【図２】第１実施形態に係る量子もつれ光子対増幅装置の構成の一例を示すブロック図である。
【図３】ＰＰＫＴＰ（Periodically Polled KTP）を説明するための説明図である。
【図４】本実施形態の原理を説明するための説明図である。
【図５】第２実施形態に係る量子もつれ光子対増幅装置の構成の一例を示すブロック図である。
【図６】第３実施形態に係る量子もつれ光子対増幅装置の構成の一例を示すブロック図である。
【図７】本実施形態に係る量子もつれ光子対増幅装置の実施例の構成を示すブロック図である。
【図８】実施例の結果を示す図である。
【発明を実施するための形態】
【００１４】
以下、本発明の実施形態に係る量子もつれ光子対増幅装置及び量子もつれ光子対増幅方法について詳細に説明する。
【００１５】
［第１実施形態］
【００１６】
図１及び図２に示されるように、第１実施形態の量子もつれ光子対増幅装置１０は、レーザ光源１１と、ダイクロックミラー１２と、光分離手段の一例である偏光ビームスプリッター１４と、両波長用半波長板１６と、光子対生成手段の一例であるＰＰＫＴＰ（Periodically Polled KTP）１８と、位相制御手段の一例である赤用半波長板２０と、光反射手段の一例であるリトロリフレクター２２と、ミラー２４と、時間波高変調器２６とを備える。本実施形態の量子もつれ光子対増幅装置１０は、２つの光子を表す量子もつれ光子対を増幅させるための系を閉じることなく、量子もつれ光子対を増幅させる。
【００１７】
なお、以下では、光の伝搬方向に対して水平な偏光を記号｜Ｈ＞で表し、光の伝搬方向に対して垂直な偏光を記号｜Ｖ＞で表す。
【００１８】
図１及び図２の何れにも、第１実施形態の量子もつれ光子対増幅装置１０が示されているが、図１は、時計回りにレーザ光｜Ｈ＞ｐが進む経路を表しており、図２は、反時計回りにレーザ光｜Ｈ＞ｐが進む経路を表している。なお、図中の実線はレーザ光を表し、点線は量子もつれ光子対を表す。
【００１９】
以下では、まず、図１のみを参照して、レーザ光が時計回りに進む経路について説明する。
【００２０】
レーザ光源１１からは、レーザ光が出力される。本実施形態では、青色のレーザ（405nm）がレーザ光源１１から出力される場合を例に説明する。
【００２１】
ダイクロックミラー１２は、図１に示されるように、レーザ光源１１から出力されたレーザ光が入射する位置に配置される。ダイクロックミラー１２は、青色の光（405nm）を透過し、赤色の光（810nm）を反射する。このため、レーザ光源１１から出力された青色（405nm）のレーザ光は、ダイクロックミラー１２を透過し、後述する偏光ビームスプリッター１４へ入射される。
【００２２】
偏光ビームスプリッター１４は、図１に示されるように、ダイクロックミラー１２を透過したレーザ光が入射される位置に配置される。偏光ビームスプリッター１４は、Ｈ偏光を透過し、Ｖ偏光を反射する。このため、レーザ光源１１から出力された青色（405nm）のうちの｜Ｈ＞は、偏光ビームスプリッター１４を透過し、後述する両波長用半波長板１６へ入射される。偏光ビームスプリッター１４を透過したレーザ光｜Ｈ＞は、図に対して時計回りの経路を辿る。一方、レーザ光源１１から出力された青色（405nm）のうちの｜Ｖ＞は、反射され、図に対して反時計回りの経路を辿る。このため、偏光ビームスプリッター１４は、レーザ光源１１から出力されたレーザ光を２つの光へ分離する。
【００２３】
両波長用半波長板１６は、図１に示されるように、偏光ビームスプリッター１４と、ＰＰＫＴＰ１８との間に配置される。両波長用半波長板１６は、入射された光の偏光を変化させ、水平方向の偏光を有する光に変換する。このため、偏光ビームスプリッター１４を透過したレーザ光｜Ｈ＞ｐは、両波長用半波長板１６を通過したとしても、偏光は変化しない。そのため、両波長用半波長板１６からは、入射したレーザ光｜Ｈ＞ｐがそのまま出力される。両波長用半波長板１６を通過したレーザ光｜Ｈ＞ｐは、第１の光の一例である。
【００２４】
非線形結晶の一例であるＰＰＫＴＰ１８は、入射された光をパラメトリック下方変換（PDC : parametric down-conversion）し、量子もつれ光子対（以下、単に「光子対」と称する。）を生成する。なお、本実施形態においては、TypeIIのＰＰＫＴＰを用いる場合を例に説明する。
【００２５】
図３に、TypeIIのＰＰＫＴＰの機能を説明するための説明図を示す。例えば、図３に示されるように、TypeIIのＰＰＫＴＰ１８に対して青色の光（405nm）が入射された場合、ＰＰＫＴＰ１８からは、偏光が互いに直交している光子対が出力される。図３に示される例では、青色の光（405nm）｜Ｈ＞がＰＰＫＴＰ１８へ入力されると、ＰＰＫＴＰ１８からは赤色の光（810nm）｜Ｈ＞と赤色の光（810nm）｜Ｖ＞とが光子対として出力される。
【００２６】
両波長用半波長板１６から出力されたレーザ光｜Ｈ＞ｐは、ＰＰＫＴＰ１８へ入射する。そして、ＰＰＫＴＰ１８からは光子対｜Ｈ＞｜Ｖ＞が出力される。このときの光子対の生成が、時計回りに辿るレーザ光｜Ｈ＞ｐによる１回目の光子対の生成となる。なお、ＰＰＫＴＰ１８へ入射したレーザ光｜Ｈ＞ｐは、ＰＰＫＴＰ１８を通過する。このため、ＰＰＫＴＰ１８からは光子対｜Ｈ＞｜Ｖ＞とレーザ光｜Ｈ＞ｐとが出力される。
【００２７】
赤用半波長板２０は、図１に示されるように、ＰＰＫＴＰ１８とリトロリフレクター２２との間に配置される。赤用半波長板２０は、光子対｜Ｈ＞｜Ｖ＞とレーザ光｜Ｈ＞ｐとの間の位相差を制御する。こ赤用半波長板２０は、煽り角θによって光子対の位相を制御することができる。このため、図１に示されるように、位相が制御された光子対ｅｉθ｜Ｖ＞｜Ｈ＞が赤用半波長板２０から出力される。また、レーザ光｜Ｈ＞ｐは、赤用半波長板２０をそのまま通過する。
【００２８】
リトロリフレクター２２は、図１に示されるように、赤用半波長板２０から出力された光が照射される位置に配置される。リトロリフレクター２２は、レーザ光｜Ｈ＞ｐ及び光子対ｅｉθ｜Ｖ＞｜Ｈ＞が入射された位置とは異なる位置からレーザ光｜Ｈ＞ｐ及び光子対ｅｉθ｜Ｖ＞｜Ｈ＞を出力する。図１に示されるように、リトロリフレクター２２は、光を遅延させる遅延回路としての機能を有する。
【００２９】
図１に示されるように、赤用半波長板２０から出力されたレーザ光｜Ｈ＞ｐ及び光子対ｅｉθ｜Ｖ＞｜Ｈ＞が、リトロリフレクター２２に入射されると、それらの光がＰＰＫＴＰ１８へ再度入射するように、レーザ光｜Ｈ＞ｐ及び光子対ｅｉθ｜Ｖ＞｜Ｈ＞が反射される。
【００３０】
リトロリフレクター２２によって反射した、レーザ光｜Ｈ＞ｐ及び光子対ｅｉθ｜Ｖ＞｜Ｈ＞は、ＰＰＫＴＰ１８へ再度入射する。そして、ＰＰＫＴＰ１８によって、レーザ光｜Ｈ＞ｐから新たな光子対｜Ｈ＞｜Ｖ＞が生成される。この新たな光子対｜Ｈ＞｜Ｖ＞の生成が、時計回りに辿るレーザ光｜Ｈ＞ｐによる２回目の光子対の生成となる。
【００３１】
図１に示されるように、本実施形態のＰＰＫＴＰ１８の一辺の大きさは、リトロリフレクター２２に入射される光の位置とリトロリフレクター２２から出力される反射光の位置との間の距離よりも大きい。このため、レーザ光｜Ｈ＞ｐを往復させて、ＰＰＫＴＰ１８を通過させることができる。
【００３２】
なお、赤用半波長板２０によって、レーザ光｜Ｈ＞ｐと光子対ｅｉθ｜Ｖ＞｜Ｈ＞との位相差が制御されているため、光子対ｅｉθ｜Ｖ＞｜Ｈ＞と新たな光子対｜Ｈ＞｜Ｖ＞との間の位相も異なる。
【００３３】
図４に、本実施形態の光子対増幅の原理を説明するための説明図を示す。図４に示されるように、入射光であるレーザ光｜Ｈ＞ｐがＰＰＫＴＰ１８結晶へ入射されると、以下の式（１）に示されるように、１回目の光子対の生成が起こる。そして、光子対｜Ｈ＞｜Ｖ＞とレーザ光｜Ｈ＞ｐとがＰＰＫＴＰ１８結晶から出力される。
【００３４】
｜Ｈ＞→｜Ｈ＞｜Ｖ＞                                  （１）
【００３５】
次に、赤用半波長板２０によって、光子対｜Ｈ＞｜Ｖ＞とレーザ光｜Ｈ＞ｐとの間の位相差が制御され、光子対｜Ｈ＞｜Ｖ＞は光子対ｅｉθ｜Ｖ＞｜Ｈ＞となる。
【００３６】
そして、レーザ光｜Ｈ＞ｐと光子対ｅｉθ｜Ｖ＞｜Ｈ＞とは、リトロリフレクター２２によって反射され、ＰＰＫＴＰ１８結晶へ入射する。このとき、レーザ光｜Ｈ＞ｐのＰＰＫＴＰ１８結晶への入射により、２回目の光子対の生成が起こる。また、光子対ｅｉθ｜Ｖ＞｜Ｈ＞は、ＰＰＫＴＰ１８結晶へ入射することにより、光子対ｅｉθ｜Ｈ＞｜Ｖ＞として出力される。
【００３７】
この結果、最終的にＰＰＫＴＰ１８から出力される光子対の状態は、以下の式（２）によって表される。
【００３８】
｜φ＞＝｜Ｈ＞｜Ｖ＞＋ｅｉθ｜Ｈ＞｜Ｖ＞
＝（１＋ｅｉθ）｜Ｈ＞｜Ｖ＞                          （２）
【００３９】
上記式（２）に示されるように、｜Ｈ＞｜Ｖ＞の前に（１＋ｅｉθ）の項が存在しており、この項の存在により、光子対｜Ｈ＞｜Ｖ＞が増幅される。
【００４０】
次に図１に戻り説明を続ける。
【００４１】
図１に示されるように、ＰＰＫＴＰ１８から出力された光子対（１＋ｅｉθ）｜Ｈ＞｜Ｖ＞は、両波長用半波長板１６を通過し、ミラー２４に入射する。
【００４２】
そして、ミラー２４によって反射された光子対（１＋ｅｉθ）｜Ｈ＞｜Ｖ＞は、偏光ビームスプリッター１４へ入射する。そして、図１に示されるように、偏光ビームスプリッター１４によって、光子対（１＋ｅｉθ）｜Ｈ＞｜Ｖ＞は、｜Ｈ＞と｜Ｖ＞とに分離される。
【００４３】
そして、図１に示されるように、分離された｜Ｈ＞と｜Ｖ＞との各々の光子は、時間波高変調器２６のうちの検出部Ａ及び検出部Ｂによって検出される。
【００４４】
次に、図２を参照して、レーザ光のうちの反時計回りの経路について説明する。
【００４５】
レーザ光源１１から出力された青色（405nm）のレーザ光は、ダイクロックミラー１２を透過し、偏光ビームスプリッター１４へ入射する。
【００４６】
レーザ光源１１から出力された青色（405nm）のレーザ光のうちの｜Ｖ＞ｐは、偏光ビームスプリッター１４によって反射し、両波長用半波長板１６へ入射する。偏光ビームスプリッター１４を反射したレーザ光｜Ｖ＞ｐは、図に対して反時計回りの経路を辿る。
【００４７】
偏光ビームスプリッター１４によって反射したレーザ光｜Ｖ＞ｐは、両波長用半波長板１６によって、水平方向の偏光であるレーザ光｜Ｈ＞ｐへ変換される。そして、両波長用半波長板１６からは、レーザ光｜Ｈ＞ｐが出力される。両波長用半波長板１６から出力されたレーザ光｜Ｈ＞ｐは、第２の光の一例である。
【００４８】
両波長用半波長板１６から出力されたレーザ光｜Ｈ＞ｐは、ＰＰＫＴＰ１８へ入射する。そして、ＰＰＫＴＰ１８からは光子対｜Ｈ＞｜Ｖ＞が出力される。このときの光子対の生成が、反時計回りに辿るレーザ光｜Ｈ＞ｐによる１回目の光子対の生成となる。なお、ＰＰＫＴＰ１８へ入射したレーザ光｜Ｈ＞ｐは、ＰＰＫＴＰ１８をそのまま通過する。このため、ＰＰＫＴＰ１８からは光子対｜Ｈ＞｜Ｖ＞とレーザ光｜Ｈ＞ｐとが出力される。
【００４９】
リトロリフレクター２２は、図２に示されるように、レーザ光｜Ｈ＞ｐ及び光子対｜Ｈ＞｜Ｖ＞が入射された位置とは異なる位置からレーザ光｜Ｈ＞ｐ及び光子対｜Ｈ＞｜Ｖ＞を出力する。
【００５０】
リトロリフレクター２２によって反射させられた、レーザ光｜Ｈ＞ｐ及び光子対｜Ｖ＞｜Ｈ＞は、赤用半波長板２０に入射する。そして、赤用半波長板２０によって、位相が制御された光子対ｅｉθ｜Ｖ＞｜Ｈ＞が出力される。また、レーザ光｜Ｈ＞ｐは、赤用半波長板２０をそのまま通過する。
【００５１】
次に、レーザ光｜Ｈ＞ｐ及び光子対ｅｉθ｜Ｖ＞｜Ｈ＞は、ＰＰＫＴＰ１８に入射する。そして、ＰＰＫＴＰ１８によって、レーザ光｜Ｈ＞ｐから新たな光子対｜Ｈ＞｜Ｖ＞が生成される。この新たな光子対｜Ｈ＞｜Ｖ＞の生成が、反時計回りに辿るレーザ光｜Ｈ＞ｐによる２回目の光子対の生成となる。
【００５２】
図２に示されるように、ＰＰＫＴＰ１８から出力された光子対（１＋ｅｉθ）｜Ｈ＞｜Ｖ＞は、両波長用半波長板１６を通過し、偏光ビームスプリッター１４へ入射する。次に、図２に示されるように、偏光ビームスプリッター１４によって、光子対（１＋ｅｉθ）｜Ｈ＞｜Ｖ＞は、｜Ｈ＞と｜Ｖ＞とに分離される。
【００５３】
そして、図２に示されるように、分離された｜Ｈ＞と｜Ｖ＞との各々の光子は、時間波高変調器２６のうちの検出部Ａ及び検出部Ｂによって検出される。
【００５４】
これにより、時計回りにおいて発生させた光子対と反時計回りにおいて発生させた光子対とが出力側において重ね合わさることにより、原理的には確率１で増幅した量子もつれ光子対を無条件に発生させることができる。
【００５５】
以上説明したように、時計回りのレーザ光によって生成される光子対と、反時計回りのレーザ光によって生成される光子対とが重ね合さることで、時間波高変調器２６のうちの検出部Ａ及び検出部Ｂにおいて検出される光子対の状態は、以下の式（３）によって表される。
【００５６】
｜φ＞＝（１＋ｅｉθ）（｜Ｈ＞Ａ｜Ｖ＞Ｂ＋｜Ｈ＞Ｂ｜Ｖ＞Ａ）              （３）
【００５７】
なお、添え字Ａ，Ｂは、検出部Ａ又は検出部Ｂにおいて検出されることを表す。
【００５８】
また、時間波高変調器２６によって光子対が検出される確率を表す検出確率（時計回りのレーザ光によって生成される光子対及び反時計回りのレーザ光によって生成される光子対の何れか一方）は、以下の式（４）によって表される。
【００５９】
｜＜Ｖ｜＜Ｈ｜（１＋ｅｉθ）｜Ｈ＞｜Ｖ＞｜＝２（１＋cosθ)
＝４(θ＝２πｎのとき。但しｎは整数)
（４）
【００６０】
上記式（４）から、本実施形態の量子もつれ光子対増幅装置により、理論上は最大４倍までの光子対の増幅が可能であることがわかる。
【００６１】
以上説明したように、本実施形態の量子もつれ光子対増幅装置は、レーザ光源と、偏光ビームスプリッターと、光から一対の光子対を生成するＰＰＫＴＰ１８と、光が入射された位置とは異なる位置から反射光を出力するように、入射された光を反射するリトロリフレクターと、光の間の位相差を制御する半波長板と、を備える。そして、偏光ビームスプリッターは、レーザ光源から出力された光を、時計回りの経路を辿る光と反時計回りの経路を辿る光とへ分離する。そして、ＰＰＫＴＰ１８によって時計回りの経路を辿る光から光子対が生成され、反時計回りの経路を辿る光から光子対が生成される。また、半波長板は、時計回りの経路を辿る光と該光から生成された光子対との間の位相差を制御し、反時計回りの経路を辿る光と該光から生成された光子対との間の位相差を制御する。そして、リトロリフレクターは、時計回りの経路を辿る光と該光から生成された光子対及び反時計回りの経路を辿る光と該光から生成された光子対を、ＰＰＫＴＰ１８へ向けて反射させ、ＰＰＫＴＰ１８は、反射された時計回りの経路を辿る光から、既に生成された光子対と位相が異なる新たな光子対を生成し、反射された反時計回りの経路を辿る光から、既に生成された光子対と位相が異なる新たな光子対を生成する。これにより、光子対を増幅させるための系を閉じることなく、光子対を増幅させることができる。
【００６２】
具体的には、光の遅延回路として機能するリトロリフレクターによって、ＰＰＫＴＰ１８から出力されたレーザ光を再度ＰＰＫＴＰ１８へ入射させることにより、光子対が再び生成される。また、このときに、既に生成された光子対と新たに生成される光子対との間の位相差を制御するために、半波長板を介して、レーザ光をＰＰＫＴＰ１８へ再び入射させる。これにより、位相差が制御された光子対を増幅させることができる。更に、リトロリフレクターは、レーザ光が入射された位置とは異なる位置からレーザ光を出力する。これにより、図１及び図２に示されるように、ＰＰＫＴＰ１８から出射されるレーザ光の位置と、ＰＰＫＴＰ１８へ入射されるレーザ光の位置とが異なる位置となる。このため、ＰＰＫＴＰ１８に対してレーザ光を複数回通過させることができ、複数の光子対を生成させことができるため、光子対を増幅させるための系を閉じることなく、光子対を増幅させることができる。
【００６３】
また、本実施形態の量子もつれ光子対増幅装置によれば、図１及び図２に示されるように、光子対を増幅させるための系を閉じることなく、光子対を増幅させるため、光子対の取出しが容易である。
【００６４】
また、本実施形態の量子もつれ光子対増幅装置は、図１及び図２に示されるように、その全体が干渉計となり、時計回りと反時計回りの両方で光子対を発生させる。そして、本実施形態の量子もつれ光子対増幅装置は、時計回りにおいて発生させた光子対と反時計回りにおいて発生させた光子対とを、出力側において重ね合わせることにより、原理的には確率１で増幅した量子もつれ光子対を無条件に発生させることができる。
【００６５】
干渉計を用いずに一方向に光子対を増幅させた場合も、ビームスプリッター又は波長フィルタ等を用いることにより光子対を分離させ、量子もつれ光子対を発生させることは可能である。しかし、その場合には、ある確率で発生する条件的な量子もつれ光子対の状態となり、本実施形態の量子もつれ光子対増幅装置のように、原理的に確率１で増幅した量子もつれ光子対とはならない。
【００６６】
これに対し、本実施形態の量子もつれ光子対増幅装置は、時計回りにおいて発生させた光子対と反時計回りにおいて発生させた光子対とを、出力側において重ね合わせることにより、原理的には確率１で増幅した量子もつれ光子対を無条件に発生させることができる。
【００６７】
［第２実施形態］
【００６８】
次に、第２実施形態について説明する。なお、第１実施形態と同様の構成及び同様の処理については、同一の符号を付して説明を省略する。
【００６９】
第２実施形態の量子もつれ光子対増幅装置は、複数のリトロリフレクターを備え、ＰＰＫＴＰ１８に対してレーザ光を複数回通過させる点が第１実施形態と異なる。
【００７０】
図５に示されるように、第２実施形態の量子もつれ光子対増幅装置２１０は、レーザ光源１１と、ダイクロックミラー１２と、偏光ビームスプリッター１４と、両波長用半波長板１６と、ＰＰＫＴＰ１８と、複数の赤用半波長板２０と、複数のリトロリフレクターである第１のリトロリフレクター２２２と、第２のリトロリフレクター２２３と、ミラー２４と、時間波高変調器２６とを備える。
【００７１】
図５に示されるように、第２実施形態の量子もつれ光子対増幅装置２１０は、複数のリトロリフレクターとして、第１のリトロリフレクター２２２と第２のリトロリフレクター２２３とが備えられており、第１のリトロリフレクター２２２及び第２のリトロリフレクター２２３の光の反射によって、ＰＰＫＴＰ１８に対してレーザ光を複数回通過させることができ、複数の光子対を生成させことができる。
【００７２】
具体的には、図５に示されるように、両波長用半波長板１６を通過したレーザ光Ｌ１は、ＰＰＫＴＰ１８を通過する際に、Ｇ１において光子対が生成される。次に、レーザ光Ｌ１は、ＰＰＫＴＰ１８に対する２回目の通過の際に、Ｇ２において光子対が生成される。次に、レーザ光Ｌ１は、ＰＰＫＴＰ１８に対する３回目の通過の際に、Ｇ３において光子対が生成される。そして、レーザ光Ｌ１は、ＰＰＫＴＰ１８に対する４回目の通過の際に、Ｇ４において光子対が生成される。
【００７３】
また、図５に示されるように、両波長用半波長板１６を通過したレーザ光Ｌ２は、ＰＰＫＴＰ１８を通過する際に、Ｇ４において光子対が生成される。次に、レーザ光Ｌ２は、ＰＰＫＴＰ１８に対する２回目の通過の際に、Ｇ３において光子対が生成される。次に、レーザ光Ｌ２は、ＰＰＫＴＰ１８に対する３回目の通過の際に、Ｇ２において光子対が生成される。そして、レーザ光Ｌ２は、ＰＰＫＴＰ１８に対する４回目の通過の際に、Ｇ１において光子対が生成される。
【００７４】
なお、図５に示されるように、レーザ光と生成された光子対との間の位相差を制御するために、複数の赤用半波長板２０が存在している。レーザ光がＰＰＫＴＰ１８に入射する前後には、赤用半波長板２０が設置されており、レーザ光と生成された光子対との間の位相差が制御される。
【００７５】
以上説明したように、第２実施形態の量子もつれ光子対増幅装置は、複数のリトロリフレクターを含み、複数のリトロリフレクターの各々は、ＰＰＫＴＰ１８を挟んで互いに対向する位置に配置されている。そして、光源から出力されたレーザ光が複数のリトロリフレクターによって反射され、レーザ光がＰＰＫＴＰ１８を通過する毎に新たな光子対が生成される。これにより、光子対を増幅させるための系を閉じることなく、光子対を増幅させることができる。
【００７６】
［第３実施形態］
【００７７】
次に、第３実施形態について説明する。なお、第１又は第２実施形態と同様の構成及び同様の処理については、同一の符号を付して説明を省略する。
【００７８】
第３実施形態の量子もつれ光子対増幅装置は、３のリトロリフレクターを備える点が第１及び第２実施形態と異なる。
【００７９】
第２実施形態の量子もつれ光子対増幅装置は、２つのリトロリフレクターを備えていたが、量子もつれ光子対増幅装置は、３つのリトロリフレクターによって構成されていてもよい。
【００８０】
図６に示されるように、第３実施形態の量子もつれ光子対増幅装置３１０は、レーザ光源１１と、ダイクロックミラー１２と、偏光ビームスプリッター１４と、両波長用半波長板１６と、ＰＰＫＴＰ１８と、複数の赤用半波長板２０と、複数のリトロリフレクターである第１のリトロリフレクター２２４と、第２のリトロリフレクター２２５と、第３のリトロリフレクター２２６と、ミラー２４と、時間波高変調器２６とを備える。
【００８１】
図６に示されるように、第３実施形態の量子もつれ光子対増幅装置３１０は、複数のリトロリフレクターとして、第１のリトロリフレクター２２４と第２のリトロリフレクター２２５と第３のリトロリフレクター２２６とが備えられており、第１のリトロリフレクター２２４、第２のリトロリフレクター２２５、及び第３のリトロリフレクター２２６の光の反射によって、ＰＰＫＴＰ１８に対してレーザ光を複数回通過させることができ、複数の光子対を生成させことができる。
【００８２】
具体的には、図６に示されるように、両波長用半波長板１６を通過したレーザ光Ｌ１は、ＰＰＫＴＰ１８を通過する際に、Ｇ１において光子対が生成される。次に、レーザ光Ｌ１は、ＰＰＫＴＰ１８に対する２回目の通過の際に、Ｇ２において光子対が生成される。次に、レーザ光Ｌ１は、ＰＰＫＴＰ１８に対する３回目の通過の際に、Ｇ３において光子対が生成される。そして、レーザ光Ｌ１は、ＰＰＫＴＰ１８に対する４回目の通過の際に、Ｇ４において光子対が生成される。
【００８３】
また、図６に示されるように、両波長用半波長板１６を通過したレーザ光Ｌ２は、ＰＰＫＴＰ１８を通過する際に、Ｇ４において光子対が生成される。次に、レーザ光Ｌ２は、ＰＰＫＴＰ１８に対する２回目の通過の際に、Ｇ３において光子対が生成される。次に、レーザ光Ｌ２は、ＰＰＫＴＰ１８に対する３回目の通過の際に、Ｇ２において光子対が生成される。そして、レーザ光Ｌ２は、ＰＰＫＴＰ１８に対する４回目の通過の際に、Ｇ１において光子対が生成される。
【００８４】
なお、図６に示されるように、レーザ光と生成された光子対との間の位相差を制御するために、複数の赤用半波長板２０が存在している。レーザ光がＰＰＫＴＰ１８に入射する前後には、赤用半波長板２０が設置されており、レーザ光と生成された光子対との間の位相差が制御される。
【００８５】
以上説明したように、第３実施形態の量子もつれ光子対増幅装置は、３つのリトロリフレクターを含み、３つのリトロリフレクターの各々は、ＰＰＫＴＰ１８を挟んで互いに対向する位置に配置されている。そして、光源から出力されたレーザ光が複数のリトロリフレクターによって反射され、レーザ光がＰＰＫＴＰ１８を通過する毎に新たな光子対が生成される。これにより、光子対を増幅させるための系を閉じることなく、光子対を増幅させることができる。
【００８６】
［実施例］
【００８７】
次に、本実施形態に係る量子もつれ光子対増幅装置及び量子もつれ光子対増幅方法の実施例について説明する。本実施例では、図７に示される装置５０を用いて、光子対の増幅を計測した。なお、図７に示される装置５０は、１つのレーザ光による光子対の増幅に関する実験を行うための装置である。すなわち、装置５０は、本実施形態における、時計回りの経路を辿る光及び反時計回りの経路を辿る光の何れか一方による光子対の増幅を確認するためのものである。図７に示される装置５０の各光学素子は、以下の表に示される通りである。
【００８８】
【表１】
2020148911.tif 000003
【００８９】
図７に示されるレンズは、光強度を高めるために設置されている。また、図７に示される補償用結晶は、ＰＰＫＴＰ１８を通過した光の群速度のずれを補償するために設置されている。
【００９０】
図８に、図７の装置５０によって得られた実験結果を示す。図８に示される結果は、リトロリフレクターとTypeIIのＰＰＫＴＰ１８との間に設置される赤用ＨＷＰの煽り角θを制御した場合の、１秒当たりの光子対の数が示されている。赤用ＨＷＰの後ろに記載されている「45°」は、半波長板の回転角が45°に設定されていることを表す。この赤用ＨＷＰの煽り角θを様々な値に設定したときの光子対の数を計測することにより、図８の結果が得られる。
【００９１】
図８に示されるように、赤用ＨＷＰの煽り角θによって、光子対の数が変化していることがわかる。なお、レーザ光がＰＰＫＴＰ１８を１回通過して生成される光子対の数は30［count/sec］である。本実験では、ＰＰＫＴＰ１８に対してレーザ光を２回通過させ、かつ２回目の通過の際には、既に生成された光子対とレーザ光との間の位相差θが制御される。図８に示されているように、ＰＰＫＴＰ１８に対してレーザ光を２回通過させた場合、光子対の数は、120［count/sec］程度まで増加していることがわかる。実際には、本実験においては、光子対が3.4±0.3に増幅された。これにより、入射されるレーザ光と該レーザ光から生成された光子対との間の位相差θを制御することにより、光子対を約４倍まで増幅させることが可能なことがわかる。
【００９２】
なお、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００９３】
例えば、本実施形態においては、光反射手段の一例としてリトロリフレクターを用いる場合を例に説明したが、これに限定されるものではない。例えば、光反射手段として、プリズム、又は一対のミラー等を用いるようにしてもよい。
【００９４】
また、本実施形態においては、位相制御手段の一例として半波長板を用いる場合を例に説明したが、これに限定されるものではない。例えば、位相制御手段として、半波長板に替えて、プリズムを用いても良い。
【００９５】
また、本実施形態においては、光子対生成手段の一例としてTypeIIのＰＰＫＴＰ１８を用いる場合を例に説明したが、これに限定されるものではない。本実施形態において生成されるような光子対を発生することができるものであれば、非線形結晶はＰＰＫＴＰに限定されるものではない。例えば、光子対生成手段としてType０（ゼロ）のＰＰＫＴＰ１８を用いてもよい。
【００９６】
また、本実施形態では、TypeIIのＰＰＫＴＰを用いて光子対を発生させているため、波長が異なる光子対が発生する場合を例に説明したが、これに限定されるものではない。例えば、TypeI又はType0と称される光子対の発生方法を用いて、｜Ｈ＞｜Ｈ＞又は｜Ｖ＞｜Ｖ＞というように、偏光が一致している光子対を発生した場合でも、増幅した量子もつれ光子対を無条件に発生させることができる。
【符号の説明】
【００９７】
１０   量子もつれ光子対増幅装置
１１   レーザ光源
１２   ダイクロックミラー
１４   偏光ビームスプリッター
１６   両波長用半波長板
１８   ＰＰＫＴＰ
２０   赤用半波長板
２２，２２２，２２４，２２５，２２６      リトロリフレクター
２４   ミラー
２６   時間波高変調器
【図１】
2020148911.tif 000004
【図２】
2020148911.tif 000005
【図３】
2020148911.tif 000006
【図４】
2020148911.tif 000007
【図５】
2020148911.tif 000008
【図６】
2020148911.tif 000009
【図７】
2020148911.tif 000010
【図８】
2020148911.tif 000011